(57)【要約】【課題】従来の鏡餅用包装箱の利点は残したままで、簡単に運べるようにした鏡餅用包装箱を提供し、併せてそれを用いた鏡餅包装体を提供すること。【解決手段】厚紙を打ち抜いた一枚のブランクからなる鏡餅用包装箱であって、上面パネル１３の中程から前面パネル１４にかけて透視窓２３が形成され、その透視窓２３には内側からプラスチック製の透明シートＳが貼り合わせられており、上面パネル１３には透視窓２３の縁に沿った折線を付け根として透明シート上に延設された起立可能な把手部分１３ａが区画されている。把手部分１３ａを折線のところで折り曲げるようにして透明シート上から上向きに起こし、その起こした把手部分１３ａを手で持つことで簡単に運ぶことができる。また、透明シート上に延設した把手部分１３ａはそれ自体に紙の厚みがあるので、指先で引っ掛けて透明シート上から簡単に起こすことができる。【選択図】図１
0003121163.tif 000002
【実用新案登録請求の範囲】
【請求項１】
厚紙を打ち抜いた一枚のブランクからなる鏡餅用包装箱であって、上面パネルの中程から前面パネルにかけて透視窓が形成され、その透視窓には内側からプラスチック製の透明シートが貼り合わせられており、上面パネルには透視窓の縁に沿った一対の折線を付け根として透明シート上に延設された起立可能なＵ字状の把手部分が区画されていることを特徴とする鏡餅用包装箱。
【請求項２】
把手部分が内側に折返し部分を有していることを特徴とする請求項１に記載の鏡餅用包装箱。
【請求項３】
箱の種類が折畳み箱であり、一方の側面がオートロックの構造になっていることを特徴とする請求項１又は２に記載の鏡餅用包装箱。
【請求項４】
請求項１〜３のいずれかに記載の鏡餅用包装箱に、外観が重ね鏡餅形状に形成されかつ内部に餅が封入された上下一体パック鏡餅を収納したことを特徴とする鏡餅包装体。
【請求項５】
上下一体パック鏡餅を三方に載せた状態で収納したことを特徴とする請求項４に記載の鏡餅包装体。
【考案の詳細な説明】
【技術分野】
【０００１】
本考案は、上下一体パック鏡餅を収納して販売するための鏡餅用包装箱とそれを用いた鏡餅包装体に関するものである。
【背景技術】
【０００２】
旧来より、日本では、正月や祝い事の際に重ね鏡餅を飾り付けたり、或いは神棚に重ね鏡餅を供えたりする習慣がある。一方、時代の移り変わりに伴い、日本の住宅も気密性が高まってきており、このことが鏡餅にとっても大きな影響を及ぼしている。すなわち、気密性の高い住宅は、冷暖房の行き届いた現代社会にあっては快適な空間を提供するが、鏡餅にとっては従来発生しにくかった有害なカビまでも誘発する原因の一つになってきている。したがって、鏡開きまでの間にカビが発生し、せっかくの鏡開きの日にカビで鏡餅をいただくことができなくなってしまうという事態が生じている。そこで、最近では、外観が重ね鏡餅形状をしたプラスチック製の容器に、本物の餅を封入したり個別包装（脱酸素剤入り）の小さな餅を封入した所謂「上下一体パック鏡餅」が数多く販売されている。そして、この上下一体パック鏡餅の上に載せるプラスチック製の擬似橙（だいだい）や上下一体パック鏡餅を載せる板紙製の三方なども併せて包装箱に収納したものも販売されている。
【０００３】
この上下一体パック鏡餅を収納する用途に用いられる包装箱としては、板紙や段ボールなどの厚紙からなり、少なくとも前面に透視窓を設けたものが一般的である。すなわち、店頭において包装箱を積み重ねた際に、箱の中に収納された上下一体パック鏡餅が見えるようにし、それによって消費者の購買意欲をそそるようにしている。特に最近では、飾りを付けたり三方に載せたりした状態で上下一体パック鏡餅を収納し、それを透視窓を通して見えるようにすることで、さらなる販促効果を狙ったものが販売されている。
【特許文献１】特開２００１−２７８２５６号公報
【特許文献２】特開２００５−００８１６８号公報
【考案の開示】
【考案が解決しようとする課題】
【０００４】
従来の鏡餅用包装箱は、上記した如く前面に透視窓を設けてあるので、店頭で積み重ねても、中の上下一体パック鏡餅を見える状態で販売することができる。そして、収納された上下一体パック鏡餅を箱から取り出し、必要に応じて三方や擬似橙と組み合わせるだけで、簡単に飾り付けることができるという利点もある。しかしながら、この種の鏡餅用包装箱は、形がおおよそ直方体形状であるため、消費者が購入して持ち帰る際に持ちにくいという問題がある。すなわち、箱自体が小さい場合にはあまり問題はないが、大型になるにしたがって、別の大きな袋に入れたりしないと簡単には運ぶことができないと言う難点がある。
【０００５】
本考案は、上記のような事情に鑑みてなされたものであり、その目的とするところは、従来の鏡餅用包装箱の利点は残したままで、簡単に運べるようにした鏡餅用包装箱を提供し、併せてそれを用いた鏡餅包装体を提供することにある。
【課題を解決するための手段】
【０００６】
請求項１に記載の考案である鏡餅用包装箱は、厚紙を打ち抜いた一枚のブランクからなる鏡餅用包装箱であって、上面パネルの中程から前面パネルにかけて透視窓が形成され、その透視窓には内側からプラスチック製の透明シートが貼り合わせられており、上面パネルには透視窓の縁に沿った一対の折線を付け根として透明シート上に延設された起立可能なＵ字状の把手部分が区画されていることを特徴としている。
【０００７】
請求項２に記載の考案である鏡餅用包装箱は、請求項１に記載の鏡餅用包装箱において、把手部分が内側に折返し部分を有していることを特徴としている。
【０００８】
請求項３に記載の考案である鏡餅用包装箱は、請求項１又は２に記載の鏡餅用包装箱において、箱の種類が折畳み箱であり、一方の側面がオートロックの構造になっていることを特徴としている。
【０００９】
請求項４に記載の考案である鏡餅包装体は、請求項１〜３のいずれかに記載の鏡餅用包装箱に、外観が重ね鏡餅形状に形成されかつ内部に餅が封入された上下一体パック鏡餅を収納したことを特徴としている。
【００１０】
請求項５に記載の考案である鏡餅包装体は、請求項４に記載の鏡餅包装体において、上下一体パック鏡餅を三方に載せた状態で収納したことを特徴としている。
【考案の効果】
【００１１】
請求項１に記載の考案である鏡餅用包装箱は、厚紙を打ち抜いた一枚のブランクからなる鏡餅用包装箱であって、上面パネルの中程から前面パネルにかけて透視窓が形成され、その透視窓には内側からプラスチック製の透明シートが貼り合わせられており、上面パネルには透視窓の縁に沿った一対の折線を付け根として透明シート上に延設された起立可能なＵ字状の把手部分が区画されていることを特徴としているので、上面パネルに区画された把手部分を折線のところで折り曲げるようにして透明シート上から上向きに起こし、その起こした把手部分を手で持つことで簡単に運ぶことができる。また、透明シート上に延設した把手部分はそれ自体に紙の厚みがあるので、指先で引っ掛けて透明シート上から簡単に起こすことができる。
【００１２】
請求項２に記載の考案である鏡餅用包装箱は、請求項１に記載の鏡餅用包装箱において、把手部分が内側に折返し部分を有していることを特徴としているので、把手部分を手で持って下げた時に折返し部分を折り返した状態で把手部分を把持することになり、重量があっても手に食い込まない状態でぶら下げることができる。
【００１３】
請求項３に記載の考案である鏡餅用包装箱は、請求項１又は２に記載の鏡餅用包装箱において、箱の種類が折畳み箱であり、一方の側面がオートロックの構造になっていることを特徴としているので、上記効果に加えて、組立時や廃棄時の取扱いが簡単であるという効果を奏する。
【００１４】
請求項４に記載の考案である鏡餅包装体は、請求項１〜３のいずれかに記載の鏡餅用包装箱に、外観が重ね鏡餅形状に形成されかつ内部に餅が封入された上下一体パック鏡餅を収納したことを特徴としているので、店頭での陳列時に透視窓から内容物が見えることから、消費者の購買意欲をそそることができる。そして、消費者は店頭にて購入した後、別の袋などに入れることなく手でぶら下げて簡単に運ぶことができる。したがって、運搬しやすさの安心感も手伝って、消費者の購入意欲を一層そそることができる。
【００１５】
請求項５に記載の考案である鏡餅包装体は、請求項４に記載の鏡餅包装体において、上下一体パック鏡餅を三方に載せた状態で収納したことを特徴としているので、収納された上下一体パック鏡餅を三方とともに包装箱から取り出した後、状態で簡単に飾り付けを行うことができる。
【考案を実施するための最良の形態】
【００１６】
以下、図面を参照して本考案の実施の形態を説明する。
【００１７】
図１は本考案に係る鏡餅用包装箱の一例を右方斜めから見た状態で示す斜視図、図２は図１の鏡餅用包装箱を左方斜めから見た状態で示す斜視図、図３は図１の鏡餅用包装箱のブランクを示す展開図である。
【００１８】
図１及び図２の鏡餅用包装箱Ａは図３に示すブランクＢを組み立てて作成される。このブランクＢは、板紙や段ボールシートなどの厚紙を打ち抜いたもので、図示のように、折線ａ，ｂ，ｃ，ｄを介して糊代片１１、背面パネル１２、上面パネル１３、前面パネル１４、下面パネル１５を順次連設している。
【００１９】
そして、背面パネル１２の右側辺には折線ｅを介して折曲げ片１６を連設し、上面パネル１３の右側辺には折線ｆを介して蓋パネル１７を連設し、その蓋パネル１７の右側辺には両端に切込みのある折線ｇを介して差込み片１７ａを連設し、前面パネル１４の右側辺には折線ｈを介して折曲げ片１８を連設している。また、背面パネル１２の左側辺には折線ｉを介して外折込み片１９を連設し、上面パネル１３の左側辺には折線ｊを介して内折込み片２０を連設し、前面パネル１４の左側辺には折線ｋを介して外折込み片２１を連設し、下面パネル１５の左側辺には折線ｌを介して内折込み片２２を連設しており、外折込み片１９の一部の三角形部分を折線ｍで折り返せる糊代部分１９ａとし、外折込み片２１の一部の三角形部分を折線ｎで折り返せる糊代部分２１ａとしている。
【００２０】
また、このブランクＢにおける上面パネル１３の中程から前面パネル１４にかけて透視窓２３が設けられており、この透視窓２３には内側からプラスチック製の透明シートＳが貼り合わせられている。そして、上面パネル１３にはこの透視窓２３の縁に沿った一対の折線ｏを付け根として透明シートＳ上に延設された起立可能なＵ字状の把手部分１３ａが区画されている。このＵ字状をした把手部分１３ａの内側は、手で把持する部位に折線ｐを残した状態で切込み線αが形成されており、これによって把手部分１３ａは内側に折返し部分１３ｂを有する形態になっている。また、蓋パネル１７の隣にある一方の折曲げ片１８の側端付近には、付属品を入れるところを区画するための仕切り部分１８ａが２本の折線ｑにより区画されている。
【００２１】
なお、ブランクＢの素材としては、板紙や段ボールシートの他に、これらを主体として樹脂フィルムなどを組み合わせた複合シートなどを使用することができ、特に限定されるものではない。
【００２２】
上記のブランクＢから鏡餅用包装箱Ａを組み立てる手順は次のようである。まず、外折込み片１９を折線ｉで背面パネル１２の裏面側に折り返し、内折込み片２０を折線ｊで上面パネル１３の裏面側に折り返し、外折込み片２１を折線ｋで前面パネル１４の裏面側に折り返し、内折込み片２２を折線ｌで下面パネル１５の裏面側に折り返す。そして、その外折込み片１９の糊代部分１９ａを折線ｍで外側に折り返し、その外折込み片２１の糊代部分２１ａを折線ｎで外側に折り返す。
【００２３】
次に、背面パネル１２を折線ｂで上面パネル１３の裏面側に折り返し、下面パネル１５を折線ｄで前面パネル１４の裏面側に折り返し、糊代片１１と下面パネル１５の側縁部の裏面とを貼り合わせる。同時に、外折込み片１９の糊代部分１９ａと内折込み片２０とを貼り合わせ、外折込み片２１の糊代部分２１ａと内折込み片２２とを貼り合わせる。このようにしてブランクＢは折り畳まれてサック貼りした状態となり、この折り畳まれた状態で箱詰め工程に供給される。
【００２４】
この組立手順は、箱の底部がオートロック式となった通常の折畳み箱の場合と基本的には同じである。そして、内容物である上下一体パック鏡餅と三方などの付属品とを収納する際に起こして図１及び図２に示す箱状とする。なお、図１及び図２では蓋パネル１７を閉じた状態で示してある。
【００２５】
図４は図１の鏡餅用包装箱を用いた鏡餅包装体を右方斜めから見た状態で示す斜視図、図５は図４の鏡餅包装体を左方斜めから見た状態で示す斜視図である。なお、把手部分及びその折返し部分については手でぶら下げた時の状態で示してある。
【００２６】
箱詰め工程では、折り畳まれた状態の包装箱を起こすが、起こすと同時に底部が形成されておおよそ直方体形状に組み立てられる。そして、蓋部１７を閉じる前に、側方から内容物を入れる。ここでは、図４及び図５に示すように、上下一体パック鏡餅３０を三方３１に載せた状態で入れている。次いで、折曲げ片１６，１８を内側に折り曲げた後、それらに重なるように蓋パネル１７を折り曲げながら、差込み片１７ａを下面パネル１５の内側に差し込む。この時、必要に応じて折曲げ片１８の仕切り部分１８ａを折り曲げる。なお、この例では、上下一体パック鏡餅３０を三方３１に載せた状態で入れた場合を示したが、これに限定されるものではない。例えば、上下一体型パック鏡餅３０を三方３１に載せないで包装箱に入れ、これとは別に組立式の三方を入れるようにしてもよいことは言うまでもない。
【００２７】
このようにして作製された鏡餅包装体Ｐは、店頭での陳列時に透視窓２３から内容物が見えるので、消費者の購買意欲をそそることができる。また、包装箱の上部には把手部分１３ａが見て取れるので、消費者に対して購入後における運搬しやすさの安心感を与えることもできる。そして、購入後は、図４及び図５に示すように、上面パネル１３の把手部分１３ａを折線ｏのところで折り曲げるようにして起立させ、この部分を手で持って簡単に運ぶことができる。この時、把手部分１３ａを起こして手で下げようとすると、自動的に折返し部分１３ｂを折り返した状態で把手部分１３ａを把持することになり、手に食い込まない状態でぶら下げることができる。また、透明シートＳ上に延設した把手部分１３ａはそれ自体に紙の厚みがあるので、指先で引っ掛けて透明シートＳ上から簡単に起こすことができる。
【００２８】
この鏡餅包装体Ｐを購入した消費者は、蓋パネル１７を開けて内容物を取り出す。この時、上下一体パック鏡餅３０が三方３１に載った状態になっているので、そのまま取り出し、他の付属品を利用するなどして飾り付けを行う。例えば、三方３１の上に敷く飾り用紙や上下一体パック鏡餅３０の上に載せる擬似橙などを所定の場所にセットする。このように、収納された上下一体パック鏡餅３０を三方３１とともに包装箱から取り出した後、簡単に飾り付けを行うことができる。そして、内容物を取り出した後の空の包装箱は、側面がオートロックの構造になっているので、廃棄するに際して簡単に折り畳むことができる。
【００２９】
図６は本考案に係る鏡餅用包装箱の別の例を右方斜めから見た状態で示す斜視図、図７は図６の鏡餅用包装箱を左方斜めから見た状態で示す斜視図、図８は図６の鏡餅用包装箱のブランクを示す展開図である。
【００３０】
図６及び図７の鏡餅用包装箱Ａ’は図３に示すブランクＢ’を組み立てて作成される。このブランクＢ’は、図３に示すブランクＢと把手部分のところ以外は同じ構成をしている。すなわち、把手部分のところは、上面パネル１３には透視窓２３の縁に沿った一対の折線ｏを付け根として透明シートＳ上に延設された起立可能なＵ字状の把手部分１３ａが区画されている点は同じであるが、把手部分１３ａの内側に沿って切込み線βが形成されているだけで、図３のブランクＢのように折返し部分１３ｂを設けてはいない。
【００３１】
図９は図６の鏡餅用包装箱を用いた鏡餅包装体を右方斜めから見た状態で示す斜視図、図１０は図６の鏡餅包装体を左方斜めから見た状態で示す斜視図である。なお、把手部分については手でぶら下げた時の状態で示してある。
【００３２】
この鏡餅用包装箱Ｐ’は、図９及び図１０に示すように、上面パネル１３の把手部分１３ａを折線ｏのところで折り曲げるようにして起立させ、この部分を手で持って簡単に運ぶことができる。この時、把手部分１３ａに折返し部分はないので、起こした一枚の把手部分１３ａを把持してぶら下げることになるが、小型で軽い場合にはこのタイプでも十分に対応できる。また、透明シートＳ上に延設した把手部分１３ａはそれ自体に紙の厚みがあるので、指先で引っ掛けて透明シートＳ上から簡単に起こすことができる。
【００３３】
以上、本考案の実施の形態について詳細に説明してきたが、本考案による鏡餅用包装箱及びそれを用いた鏡餅包装体は、上記実施の形態に何ら限定されるものではなく、本考案の趣旨を逸脱しない範囲において種々の変更が可能であることは当然のことである。
【００３４】
例えば、上記の例では、包装箱のタイプとして底部がオートロックの構造のものを採用したが、箱のタイプとしてはこれ以外の形式であっても構わない。
【００３５】
また、上記の例では、上下一体パック鏡餅を三方に載せた状態で収納したが、組立式の三方を付属品としてもよい。
【図面の簡単な説明】
【００３６】
【図１】本考案に係る鏡餅用包装箱の一例を右方斜めから見た状態で示す斜視図である。
【図２】図１の鏡餅用包装箱を左方斜めから見た状態で示す斜視図である。
【図３】図１の鏡餅用包装箱のブランクを示す展開図である。
【図４】図１の鏡餅用包装箱を用いた鏡餅包装体を右方斜めから見た状態で示す斜視図である。
【図５】図４の鏡餅包装体を左方斜めから見た状態で示す斜視図である。
【図６】本考案に係る鏡餅用包装箱の別の例を右方斜めから見た状態で示す斜視図である。
【図７】図６の鏡餅用包装箱を左方斜めから見た状態で示す斜視図である。
【図８】図６の鏡餅用包装箱のブランクを示す展開図である。
【図９】図６の鏡餅用包装箱を用いた鏡餅包装体を右方斜めから見た状態で示す斜視図である。
【図１０】図９の鏡餅包装体を左方斜めから見た状態で示す斜視図である。
【符号の説明】
【００３７】
Ａ  鏡餅用包装箱
Ｂ  ブランク
Ｐ  鏡餅包装体
Ｓ  透明シート
α，β  切込み線
１１  糊代片
１２  背面パネル
１３  上面パネル
１３ａ  把手部分
１３ｂ  折返し部分
１４  前面パネル
１５  下面パネル
１６  折曲げ片
１７  蓋パネル
１８  折曲げ片
１８ａ  係止部分
１９  外折込み片
１９ａ  糊代部分
２０  内折込み片
２１  外折込み片
２１ａ  糊代部分
２２  内折込み片
２３  透視窓
３０  鏡餅容器
３１  三方
【図１】
0003121163.tif 000003
【図２】
0003121163.tif 000004
【図３】
0003121163.tif 000005
【図４】
0003121163.tif 000006
【図５】
0003121163.tif 000007
【図６】
0003121163.tif 000008
【図７】
0003121163.tif 000009
【図８】
0003121163.tif 000010
【図９】
0003121163.tif 000011
【図１０】
0003121163.tif 000012